(57)【特許請求の範囲】
【請求項１】
複数チャンネルの信号に対応して設けられた複数のインジケータと、
前記各チャンネルに対応して設けられた複数の操作子と、
前記各インジケータに対して、対応する前記各チャンネルの簡易情報を各々表示するとともに、何れかの前記操作子において所定の操作が行われると、該操作された操作子に対応するチャンネルの詳細情報を前記複数のインジケータを用いて表示する表示制御手段と
を有することを特徴とする信号情報表示装置。
【請求項２】
前記操作子は、前記詳細情報を表示させる以外の他の役割を有するものであり、前記所定の操作とは、所定時間以上に渡って当該操作子を操作することであることを特徴とする請求項１記載の信号情報表示装置。
【請求項３】
前記信号は音声信号であり、
前記チャンネル毎に設けられこれら音声信号のレベルを調節するフェーダをさらに具備し、
前記操作子は前記各フェーダに対応して設けられ、前記各チャンネルのうち音質を調節すべきチャンネルを指定する操作子である
ことを特徴とする請求項２記載の信号情報表示装置。
【発明の詳細な説明】
【０００１】
【発明の属する技術分野】
本発明は、ミキシングコンソールに用いて好適な信号情報表示装置に関する。
【０００２】
【従来の技術】
ミキシングコンソールにおいては、複数チャンネルの音声信号の音量等を調節するために複数のフェーダが設けられている。ここで各フェーダの近傍に、対応するチャンネル番号あるいはこれらチャンネルに係る音名等を文字列で表示するインジケータを有するものも知られている。
【０００３】
【発明が解決しようとする課題】
しかし、ミキシングコンソール上で各チャンネル毎に割り当てられる幅が狭いため、十分な情報量の文字列を表示することが困難であった。このため、音名等の情報は、３〜４文字程度の簡略化した文字列によって表示されていた。勿論、１文字あたりの幅が狭いインジケータを採用するとさらに多数の文字を表示することができるが、操作者による視認性が悪化する。
この発明は上述した事情に鑑みてなされたものであり、視認性を妨げることなく各チャンネルに係る詳細な情報を操作者に対して表示できる信号情報表示装置を提供することを目的としている。
【０００４】
【課題を解決するための手段】
上記課題を解決するため本発明にあっては、下記構成を具備することを特徴とする。なお、括弧内は例示である。
請求項１記載の信号情報表示装置にあっては、複数チャンネルの信号に対応して設けられた複数のインジケータ（２８−１〜２８−８）と、前記各チャンネルに対応して設けられた複数の操作子（セレクトスイッチ２６−１）と、前記各インジケータ（２８−１〜２８−８）に対して、対応する前記各チャンネルの簡易情報（ショートネームまたはチャンネル識別番号）を各々表示するとともに、何れかの前記操作子において所定の操作（所定時間Ｔ以上の押下）が行われると、該操作された操作子に対応するチャンネルの詳細情報（チャンネルショートネーム、チャンネルロングネームおよびチャンネル識別番号）を前記複数のインジケータを用いて表示する表示制御手段（ＣＰＵ２）とを有することを特徴とする。
さらに、請求項２記載の構成にあっては、請求項１記載の信号情報表示装置において、前記操作子は、前記詳細情報を表示させる以外の他の役割（イコライザ部５０−１〜５０−ｋの設定を行うべき入力チャンネルを排他的に選択する）を有するものであり、前記所定の操作とは、所定時間（Ｔ）以上に渡って当該操作子を操作することであることを特徴とする。
さらに、請求項３記載の構成にあっては、請求項２記載の信号情報表示装置において、前記信号は音声信号であり、前記チャンネル毎に設けられこれら音声信号のレベルを調節するフェーダ（３０−１〜３０−８）をさらに具備し、前記操作子は前記各フェーダに対応して設けられ、前記各チャンネルのうち音質（イコライザパラメータ）を調節すべきチャンネルを指定する操作子であることを特徴とする。
【０００５】
【発明の実施の形態】
１．実施形態の構成
１．１．全体構成
次に、本発明の一実施形態のミキシングコンソールの全体構成を図１を参照し説明する。
図において２はＣＰＵであり、後述するプログラムに基づいて、バスライン８を介してミキシングコンソールの各部を制御する。４はメモリであり、ＲＯＭおよびＲＡＭによって構成されている。メモリ４内のＲＯＭには、制御プログラム等が記憶される。また、ＲＡＭはＣＰＵ２のワークメモリとして用いられるとともに、ミキシングコンソールの各種セッティング情報等が記憶される。
【０００６】
６は操作パネルであり、複数の操作子およびインジケータが設けられている。これら操作子の操作情報はバスライン８を介してＣＰＵ２に供給される。また、ＣＰＵ２からは操作パネル６に対しては、各インジケータに対する表示情報がバスライン８を介して供給される。１０はＡＤコンバータ部であり、外部から供給され複数チャンネルのアナログ音声信号をデジタル音声信号に変換する。１６はデジタル入力インタフェースであり、所定フォーマット（ＡＥＳ／ＥＢＵ，ＡＤＡＴ，ＴＡＳＣＡＭ等）の外部からのデジタル音声信号を、内部フォーマットのデジタル音声信号に変換する。
【０００７】
１２は信号処理ＤＳＰであり、各種音声信号のミキシング処理・効果処理等を実行する。１４はＤＡコンバータ部であり、信号処理ＤＳＰ１２から供給されたデジタル音声信号を複数チャンネルのアナログ音声信号に変換し出力する。１８はデジタル出力インタフェースであり、信号処理ＤＳＰ１２から供給された内部フォーマットのデジタル音声信号を上記所定フォーマットのデジタル音声信号に変換し出力する。
【０００８】
１．２．ミキシング処理のアルゴリズムの構成
次に、信号処理ＤＳＰ１２において実現されるアルゴリズムの構成を図２を参照し説明する。図において、上記ＡＤコンバータ部１０およびデジタル入力インタフェース１６から供給されたデジタル音声信号は、ｋ個の入力チャンネルに割り当てられる。５０−１〜５０−ｋはイコライザ部であり、これら入力チャンネルの音声信号に対して、周波数特性等のイコライジング処理を行う。５２−１〜５２−ｋはディレイ部であり、これら音声信号に対して遅延処理を施す。
【０００９】
５４−１〜５４−ｋはフェーダ部であり、操作パネル６に設けられたフェーダ（詳細は後述する）の操作量に応じて、該音声信号のレベルを調節する。５６−１〜５６−ｋはオン・オフスイッチであり、各入力チャンネルの音声信号を出力するか否かを切り換える。５８は加算器であり、各入力チャンネルの音声信号を合成し、その結果を出力する。加算器５８の出力信号は、上記ＤＡコンバータ部１４あるいはデジタル出力インタフェース１８に供給される。
【００１０】
１．３．パラメータの内容
次に、メモリ４に格納される各種パラメータの内容を図３を参照し説明する。まず、ＥＱＰＡＲ１〜ＥＱＰＡＲｋは、イコライザ部５０−１〜５０−ｋの設定内容を規定するイコライザパラメータである。ＤＥＬＡＹＰＡＲ１〜ＤＥＬＡＹＰＡＲｋは、ディレイ部５２−１〜５２−ｋの各遅延時間を規定するディレイパラメータである。ＣＨＯＮ／ＯＦＦ１〜ＣＨＯＮ／ＯＦＦｋは、オン・オフスイッチ５６−１〜５６−ｋのオンオフ状態を規定するチャンネル出力オンオフ制御フラグである。ＦＡＤＥＲ１〜ＦＡＤＥＲｋは、フェーダ部５４−１〜５４−ｋのフェーダ量を規定するフェーダ設定値である。
【００１１】
次に、ＣＨ＿ＳＨＯＲＴＮＡＭＥ１〜ＣＨ＿ＳＨＯＲＴＮＡＭＥｋは、ｋ個の入力チャンネルのそれぞれに対し、４文字迄の文字列から成るショートネームである。また、ＣＨ＿ＬＯＮＧＮＡＭＥ１〜ＣＨ＿ＬＯＮＧＮＡＭＥｋは、これらｋ個の入力チャンネルのそれぞれに対し、１６文字迄の文字列から成るロングネームである。ＣＨＩＤ１〜ＣＨＩＤｋはチャンネル識別番号であり、例えば第１〜第ｋ入力チャンネルに対して、「１」〜「ｋ」の番号を順次規定する。但し、複数台のミキシングコンソールを接続した場合等においては、チャンネル識別番号ＣＨＩＤ１〜ＣＨＩＤｋは全体として通し番号になるように設定される。
【００１２】
１．４．操作パネル６の外観構成
次に、操作パネル６の要部の外観構成を図６（ｃ）を参照し説明する。本実施形態のミキシングコンソールは、入力チャンネルｋ数を「８」チャンネルのブロック単位で設けることができ、この１ブロックに対応する入力チャンネルの操作部分は図６（ｃ）に示すように構成されている。図において２２−１〜２２−８はアッテネータであり、イコライザ部５０−１〜５０−ｋの各入力段における音声信号レベルを調節する。２４−１〜２４−８はトグルスイッチであり、オン・オフスイッチ５６−１〜５６−ｋのオンオフ状態を押下される毎に切り換えるとともに、ランプの点灯または消灯によってオンオフ状態を表示する。
【００１３】
２６−１〜２６−８はセレクトスイッチであり、イコライザ部５０−１〜５０−ｋの設定を行うべき入力チャンネルを排他的に選択するためのものである。すなわち、セレクトスイッチ２６−１〜２６−８の何れかが押下されると、押下されたスイッチのみが点灯状態になり、他のセレクトスイッチは消灯状態になる。そして、一旦押下されたセレクトスイッチは、他のセレクトスイッチが押下されるまで継続して点灯される。
【００１４】
操作パネル６には、イコライザ部５０−１〜５０−ｋの各種パラメータを調節するためのパラメータ調節パネルが設けられており（図示せず）、点灯中のセレクトスイッチに係るチャンネルのイコライザ部５０−１〜５０−ｋのパラメータを適宜設定することが可能になる。２８−１〜２８−８はインジケータであり、各々４桁までの英数字文字列を表示することが可能になっている。なお、インジケータ２８−１〜２８−８には、後述する処理によって、例えば図６（ａ），（ｂ）に示すような詳細情報（１つのチャンネルに対するチャンネルショートネーム、チャンネルロングネームおよびチャンネル識別番号）を表示することが可能である。
【００１５】
図６（ａ），（ｂ）において、インジケータ２８−１には、チャンネルショートネームが表示され、インジケータ２８−２には記号「＆ｌｔ」が表示されている。また、インジケータ２８−３〜２８−６には、最大１６文字のチャンネルロングネームが表示され、インジケータ２８−７には記号「＆ｇｔ」が表示されている。そして、インジケータ２８−８には、チャンネル識別番号が表示されている。図６（ｃ）に戻り、３０−１〜３０−８はフェーダであり、これらの操作量に基づいてフェーダ部５４−１〜５４−ｋのゲインが決定される。
【００１６】
２．実施形態の動作
２．１．メインプログラム
次に、本実施形態の動作を説明する。本実施形態のミキシングコンソールの電源が投入されると、図４に示すメインプログラムが起動される。
図において処理がステップＳＰ１０２に進むと、所定の初期設定が行われる。ここでは、選択スイッチ番号ＳＥＬＳＷＮＯに「０」が代入される。なお、選択スイッチ番号ＳＥＬＳＷＮＯは、セレクトスイッチ２６−１〜２６−８によってセレクトされているチャンネル識別番号ＣＨＩＤ１〜ＣＨＩＤｋを表わす変数であり、この値が「０」である場合は何れのチャンネルも選択されていない状態を表わす。また、このステップでは、さらにロングネーム表示フラグＬＯＮＧＦＬＧが“０”に設定される。
【００１７】
このロングネーム表示フラグＬＯＮＧＦＬＧは、図６（ａ），（ｂ）のように８チャンネル分のインジケータ２８−１〜２８−８を用いて１チャンネル分の詳細情報を表示する場合には“１”に設定され、図６（ｃ）のように８チャンネルの個々についてチャンネルショートネームのみ、あるいはチャンネル識別番号のみを表示する場合には“０”に設定される。
【００１８】
図４に戻り、処理がステップＳＰ１０４に進むと、セレクトスイッチ制御／ネーム表示サブプログラム（図５）が起動される。このサブプログラムにおいては、セレクトスイッチ２６−１〜２６−８の操作状態に基づいて、インジケータ２８−１〜２８−８の表示内容が適宜更新される。次に、処理がステップＳＰ１０６に進むと、チャンネル設定処理が実行される。ここでは、フェーダ３０−１〜３０−８の操作量に基づいてフェーダ部５４−１〜５４−ｋのゲインが設定され、トグルスイッチ２４−１〜２４−８の操作に基づいてオン・オフスイッチ５６−１〜５６−ｋの状態が切り換えられる。また、パラメータ調節パネルの操作内容に応じて、選択状態に設定されているチャンネルのイコライザ部およびディレイ部に係るパラメータが設定される。次に、処理がステップＳＰ１０８に進むと、その他各種の処理が実行される。以後、メインプログラムにおいては、上記ステップＳＰ１０４〜ＳＰ１０８が繰り返される。
【００１９】
２．２．セレクトスイッチ制御／ネーム表示サブプログラム
次に、上記ステップＳＰ１０４において呼び出されるセレクトスイッチ制御／ネーム表示サブプログラムの内容を図５を参照し説明する。このサブプログラムは、「８」チャンネル単位のブロック毎に別プロセスのサブプログラムとして呼び出される。例えば、全チャンネル数が「２４」であれば、３プロセスのサブプログラムが同時に動作することになる。図において処理がステップＳＰ２に進むと、セレクトスイッチ２６−１〜２６−８の操作内容（オンオフ状態）が検出される。次に、処理がステップＳＰ４に進むと、変数ｉが「１」に設定される。
【００２０】
次に、処理がステップＳＰ６に進むと、セレクトスイッチ２６−ｉ（すなわち２６−１）にオンイベントが発生したか否かが判定される。すなわち、前回のステップＳＰ２が実行された時の検出結果がオフ状態であり、今回のステップＳＰ２の検出結果がオン状態であれば、オンイベントが発生したものと判断される。セレクトスイッチ２６−１にオンイベントが生じた状態を想定すると、ここで「ＹＥＳ」と判定されると、処理はステップＳＰ８に進み、選択スイッチ番号ＳＥＬＳＷＮＯが変数ｉ以外の値であるか否かが判定される。
【００２１】
ここで、初期設定（ＳＰ１０２）においては選択スイッチ番号ＳＥＬＳＷＮＯは「０」に設定されていたため、「ＹＥＳ」と判定され、処理はステップＳＰ１０に進む。ステップＳＰ１０においては、選択スイッチ番号ＳＥＬＳＷＮＯに変数ｉ（＝１）が代入される。そして、セレクトスイッチ２６−ｉが点灯状態に設定され、他のセレクトスイッチは消灯状態に設定される。
【００２２】
次に、処理がステップＳＰ１２に進むと、何れかのセレクトスイッチ２６−１〜２６−８がオン状態であるか否かが判定される。ここで、上記セレクトスイッチ２６−１が押下されたままの状態であると仮定すると、「ＹＥＳ」と判定され、処理はステップＳＰ１４に進む。ここでは、ロングネーム表示フラグＬＯＮＧＦＬＧが“０”であるか否かが判定される。初期設定においてロングネーム表示フラグＬＯＮＧＦＬＧは“０”に設定されたため、ここでは「ＹＥＳ」と判定され、処理はステップＳＰ１６に進む。
【００２３】
ステップＳＰ１６においては、セレクトスイッチ２６−ｉのオン状態が所定時間Ｔ（Ｔは例えば１秒）以上継続しているか否かが判定される。未だ所定時間Ｔが経過していなければ「ＮＯ」と判定され、処理はステップＳＰ２８に進む。ここでは、変数ｉが「８」であるか否かが判定される。変数ｉが「８」に達していなければ「ＮＯ」と判定され、処理はステップＳＰ２６に進み、変数ｉが「１」だけインクリメントされる。これにより、変数ｉ＝２〜８の範囲でステップＳＰ６〜ＳＰ２８の処理が繰り返される。
【００２４】
ここで、セレクトスイッチ２６−１が押下され続け、他のセレクトスイッチが押下されていない状態が継続すると、変数ｉ＝２〜８の範囲ではステップＳＰ６において「ＮＯ」と判定され、処理はステップＳＰ１２に進む。ここで、セレクトスイッチ２６−１が押下されているために処理はステップＳＰ１４，１６に進むが、変数ｉに係るセレクトスイッチが押下され続けているわけではないため、ステップＳＰ１６においては必ず「ＮＯ」と判定される。そして、変数ｉが「８」に達した後に処理がステップＳＰ２８に進むと、ここで「ＹＥＳ」と判定され、処理はメインプログラム（図４）に戻る。
【００２５】
以後、セレクトスイッチ２６−１が所定時間Ｔ以上押下され続けた状態で再びセレクトスイッチ制御／ネーム表示サブプログラム（図５）が呼び出され、変数ｉが「１」に設定された後に処理がステップＳＰ１６に進むと、ここで「ＹＥＳ」と判定され、処理はステップＳＰ１８に進む。ここでは、変数ｉに係るショートネームＣＨ＿ＳＨＯＲＴＮＡＭＥｉ、ロングネームＣＨ＿ＬＯＮＧＮＡＭＥｉ、およびチャンネル識別番号ＣＨＩＤｉが、例えば図６（ａ），（ｂ）に示すようにインジケータ２８−１〜２８−８に表示される。次に、処理がステップＳＰ２０に進むと、ロングネーム表示フラグＬＯＮＧＦＬＧが“１”に設定される。
【００２６】
このロングネーム表示フラグＬＯＮＧＦＬＧが“１”に設定されたことにより、以後、セレクトスイッチ２６−１が押下され続けていると、ステップＳＰ１２，ＳＰ１４を介して処理はステップＳＰ２８に進むから、本サブプログラム（図５）において実質的な処理は行われない。これにより、セレクトスイッチ２６−１が押下され続けている限り、最後にステップＳＰ１８が実行された際の変数ｉ（＝１）に係るショートネームＣＨ＿ＳＨＯＲＴＮＡＭＥｉ、ロングネームＣＨ＿ＬＯＮＧＮＡＭＥｉ、およびチャンネル識別番号ＣＨＩＤｉが継続的に表示されることになる。
【００２７】
その後、セレクトスイッチ２６−１がリリースされ、本サブプログラムが再び呼び出されると、ステップＳＰ１２において「ＮＯ」と判定され、処理はステップＳＰ２２に進む。ここでは、ロングネーム表示フラグＬＯＮＧＦＬＧが“０”に設定される。次に、処理がステップＳＰ２４に進むと、各チャンネルのショートネームＣＨ＿ＳＨＯＲＴＮＡＭＥ１〜ＣＨ＿ＳＨＯＲＴＮＡＭＥｋがインジケータ２８−１〜２８−８に表示される。これにより、表示内容は初期状態に等しい内容に戻る。
【００２８】
以上のように、本実施形態のミキシングコンソールによれば、操作者が何れかのチャンネルのセレクトスイッチを所定時間Ｔ以上押下すると、８チャンネル分のインジケータ２８−１〜２８−８によって当該チャンネルの詳細情報が表示される。これにより、インジケータ２８−１〜２８−８としてある程度大きな物を採用して視認性を確保しつつ、各チャンネルに係る詳細情報を操作者に対して表示することが可能である。
【００２９】
３．変形例
本発明は上述した実施形態に限定されるものではなく、例えば以下のように種々の変形が可能である。
（１）上記各実施形態においては、何れかのセレクトスイッチ２６−１〜２６−８が所定時間Ｔ以上押下されると、これによってインジケータ２８−１〜２８−８の表示内容が決定され（ステップＳＰ１８）、それ以降は何れかのセレクトスイッチが押下され続けている限り表示内容は変更されない。しかし、何れかのセレクトスイッチが押下され続けている限り、最後に押下されたセレクトスイッチに係る詳細情報をインジケータ２８−１〜２８−８に表示してもよい。この変形例によれば、例えば、何れかのセレクトスイッチを押下し続けながら他のセレクトスイッチを順次づつ押下してゆくと、これら他のセレクトスイッチに係る詳細情報を短時間で確認することが可能になる。
【００３０】
（２）ショートネームＣＨ＿ＳＨＯＲＴＮＡＭＥｉ、ロングネームＣＨ＿ＬＯＮＧＮＡＭＥｉなどの表示情報（文字列）は操作パネル６あるいは外部に接続した操作子またはコンピュータ等から任意に入力、設定できるものとしてもよい。また、予め、各種の文字列や表示パターンを記憶しておいて、その中から選択して表示させるようにしてもよい。
【００３１】
【発明の効果】
以上説明したように本発明によれば、操作子に対して所定の操作を行うと、複数チャンネルに対応するインジケータを用いて特定のチャンネルの詳細情報を表示することができるから、インジケータの視認性を妨げることなく、任意のチャンネルの詳細情報を操作者に対して表示することが可能である。
【図面の簡単な説明】
【図１】本発明の一実施形態のミキシングコンソールのブロック図である。
【図２】信号処理ＤＳＰ１２内のアルゴリズムのブロック図である。
【図３】上記実施形態におけるパラメータリストである。
【図４】上記実施形態のメインプログラムのフローチャートである。
【図５】上記実施形態のセレクトスイッチ制御／ネーム表示サブプログラムのフローチャートである。
【図６】ミキシングコンソールの要部の外観図である。
【符号の説明】
２…ＣＰＵ、４…メモリ、６…操作パネル、８…バスライン、１０…ＡＤコンバータ部、１２…信号処理ＤＳＰ、１４…ＤＡコンバータ部、１６…デジタル入力インタフェース、１８…デジタル出力インタフェース、２２−１〜２２−８…アッテネータ、２４−１〜２４−８…トグルスイッチ、２６−１〜２６−８…セレクトスイッチ、２８−１〜２８−８…インジケータ、３０−１〜３０−８…フェーダ、５０−１〜５０−ｋ…イコライザ部、５２−１〜５２−ｋ…ディレイ部、５４−１〜５４−ｋ…フェーダ部、５６−１〜５６−ｋ…オン・オフスイッチ、５８…加算器。
【図１】
0003620477.tif 000002
【図２】
0003620477.tif 000003
【図３】
0003620477.tif 000004
【図４】
0003620477.tif 000005
【図５】
0003620477.tif 000006
【図６】
0003620477.tif 000007